(57)【特許請求の範囲】
【請求項１】
回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、
前記ディフューザは、前記ファンケーシング側に設けられた環状支持体に一体成形され該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、
前記環状支持体側のベーンの外周端外径は、前記仕切板側のベーンの外周端外径より大きくしたことを特徴とする電動送風機。
【請求項２】
回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、
前記ディフューザは、前記ファンケーシング側に設けられた環状支持体に一体成形され該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、
前記複数のベーンの外周端は、前記仕切板側のベーンが前記環状支持体側のベーンより空気の流れ的に見て上流側に位置するように前記環状支持体側から前記仕切板側に向かって傾斜させたことを特徴とする電動送風機。
【請求項３】
請求項１又は２において、
前記複数のベーンと前記仕切板とは、溶着あるいは接着剤により接合したことを特徴とする電動送風機。
【請求項４】
請求項３において、
前記ディフューザベーン体と前記リターンガイドとのそれぞれに、接合するときの互いの位置決めを行うための位置決め部を設けたことを特徴とする電動送風機。
【請求項５】
請求項３において、
前記接合した部分に塗装を施したことを特徴とする電動送風機。
【請求項６】
塵埃を収容する集塵部及び吸引力を発生させる電動送風機を内蔵した掃除機本体と、該掃除機本体の集塵部と連通する吸口体とを備えた電気掃除機において、
前記電動送風機は、回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、
前記ディフューザは、前記ファンケーシング側に設けられた環状支持体に一体成形され、該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、
前記環状支持体側のベーンの外周端外径は、前記仕切板側のベーンの外周端外径より大きくしたことを特徴とする電気掃除機。
【請求項７】
塵埃を収容する集塵部及び吸引力を発生させる電動送風機を内蔵した掃除機本体と、該掃除機本体の集塵部と連通する吸口体とを備えた電気掃除機において、
前記電動送風機は、回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、
前記ディフューザは、前記ファンケーシング側に設けられた環状支持体に一体成形され、該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、
前記複数のベーンの外周端は、前記仕切板側のベーンが前記環状支持体側のベーンより空気の流れ的に見て上流側に位置するように前記環状支持体側から前記仕切板側に向かって傾斜させたことを特徴とする電気掃除機。
【発明の詳細な説明】
【技術分野】
【０００１】
本発明は電動送風機及びこれを備えた電気掃除機に関するものであり、特にディフューザの改良に関するものである。
【背景技術】
【０００２】
従来の電動送風機は、例えば特許文献１，２に開示の技術がある。特許文献１には、ディフューザ１３の上面とこのディフューザ１３を覆うファンケーシング１５との間に円環２４を設け、ファンケーシング１５とこのファンケーシング１５に接するディフューザ１３上面との隙間をシールするようにした技術が開示されている。
【０００３】
また、特許文献２には、円環部２４をディフューザのブレード２３（ベーン）とを一体的に形成し、ブレード２３の下面２５とディフューザのシュラウド板２６（仕切板）とを接合するようにした技術が開示されている。
【０００４】
【特許文献１】特開平11-182497号公報
【特許文献２】特開2000-73993号公報（００２７、図４）
【発明の開示】
【発明が解決しようとする課題】
【０００５】
一般的な電動送風機は、ディフューザ外周側がファンケーシングで覆われており、遠心ファンから流出した空気はディフューザのブレード（ベーン）へと導かれ、ブレード（ベーン）を通過した空気は外周方向に向かって流出する。そして、流出した空気はファンケーシングに当たり、流れが方向転換されてリターンガイドへと流れてゆく。ブレード（ベーン）からリターンへと流れる空気は、上述したように空気の流れが方向転換するので流れ損失が大きく、この部分での流れをスムーズにすることが電動送風機の効率向上の有効である。
【０００６】
しかしながら、上記特許文献１に記載の技術においては、ファンケーシング１５とディフューザ１３とで形成される空気通路を流れる空気が、ファンケーシング１５とディフューザ１３上面との隙間から他の空気通路へ流れ出すのを防止して電動送風機の性能を向上するようにしているものの、ディフューザ１３からリターンガイド１４への空気流については全く考慮されていなかった。
【０００７】
また、特許文献２に記載の技術においても、特許文献１と同様、ディフューザのブレード２３からリターンガイド１４への空気流については全く考慮されていなかった。
【０００８】
本発明の目的は上記課題を解決し、ブレード（ベーン）からリターンへの空気の流れをスムーズにして、電動送風機及び電気掃除機の効率を向上させることにある。
【課題を解決するための手段】
【０００９】
上記目的を達成するために本発明の特徴とするところは、回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、前記ディフューザは、前記ファンケーシング側に設けられた環状支持体に一体成形され該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、前記環状支持体側のベーンの外周端外径は、前記仕切板側のベーンの外周端外径より大きくした電動送風機にある。
【００１０】
また、本発明の特徴とするところは、回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、前記ディフューザは、前記ファンケーシング側に設けられた環状支持体に一体成形され該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、前記複数のベーンの外周端は、前記仕切板側のベーンが前記環状支持体側のベーンより空気の流れ的に見て上流側に位置するように前記環状支持体側から前記仕切板側に向かって傾斜させた電動送風機にある。
【００１１】
さらに本発明の特徴とするところは、塵埃を収容する集塵部及び吸引力を発生させる電動送風機を内蔵した掃除機本体と、該掃除機本体の集塵部と連通する吸口体とを備えた電気掃除機において、前記電動送風機は、回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、前記ディフューザは、前記ファンケーシング側に設けられた環状支持体に一体成形され該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、前記環状支持体側のベーンの外周端外径は、前記仕切板側のベーンの外周端外径より大きくした電気掃除機にある。
【００１２】
さらにまた本発明の特徴とするところは、塵埃を収容する集塵部及び吸引力を発生させる電動送風機を内蔵した掃除機本体と、該掃除機本体の集塵部と連通する吸口体とを備えた電気掃除機において、前記電動送風機は、回転子及び固定子を有する電動機と、該電動機を収納するハウジングと、前記回転子に設けられた回転軸と、該回転軸の軸受を保持するエンドブラケットと、該エンドブラケットの外方で、かつ前記回転軸に固定された遠心ファンと、該遠心ファンの外周側で、かつ前記エンドブラケットの外方に配置されたディフューザと、前記遠心ファン及び前記ディフューザを外方から覆うように設けられたファンケーシングとを有し、前記ディフューザは、前記ファンケーシング側に設けられた環状支持体に一体成形され該環状支持体のエンドブラケット側に複数のベーンを有するディフューザベーン体と、一方側が前記複数のベーンと接触するように配置された仕切板の他方側に、該仕切板と一体成形された複数のリターンベーンを有するリターンガイドとから構成され、前記複数のベーンの外周端は、前記仕切板側のベーンが前記環状支持体側のベーンより空気の流れ的に見て上流側に位置するように前記環状支持体側から前記仕切板側に向かって傾斜させた電気掃除機にある。
【発明の効果】
【００１３】
本発明によれば、ベーンからリターンベーンへの曲がり流路において、方向転換がスムーズに行われ、圧力損失を低減し、電動送風機及び電気掃除機の効率を向上させることができる。
【発明を実施するための最良の形態】
【００１４】
以下本発明に係る実施例を添付の図面を用いて説明する。
【実施例１】
【００１５】
図７は本発明の一実施例に係る電気掃除機２００の概略図、図８は本発明の一実施例に係る電動送風機の縦断面図である。
【００１６】
図７において、２０１は掃除機本体、２０２は塵埃を収容する集塵部、２０３は集塵部２０２に塵埃を搬送するための吸引力を発生させる電動送風機、７０４は電動送風機２０３を制御する制御部であり、集塵部２０２，電動送風機２０３，制御部２０４は掃除機本体内に収納されている。集塵部２０２には使い捨て式の紙パックフィルタが収納されている。なお、この集塵部７０２はサイクロン集塵部としても良い。
【００１７】
２０５は電動送風機のオン・オフ等を行う操作部が設けられた手元ハンドル部、２０６は一端側が掃除機本体２０１に接続されて集塵部２０２と連通し、他端側が手元ハンドル部２０５の一端側に接続されたホース、２０７は一端側が手元ハンドル部２０５の他端側に接続された延長管、２０８は延長管２０７の他端側に接続された吸口体である。
【００１８】
使用者が手元ハンドル部２０５の操作部を押すと、その情報を制御部２０４が受け電動送風機２０３を運転させる。電動送風機２０３が運転を始めると吸引力が発生し、吸口体２０８から塵埃が吸込まれる。吸口体２０８と集塵部２０２は連通しており、吸口体２０８から吸込まれた塵埃は、延長管，手元ハンドル部２０５の通路，ホースを介して集塵部２０２に収容される。
【００１９】
次に図８を用いて電動送風機の構成を説明する。１０１は回転子、１０２は回転子１０１の外周側に配置された固定子、１０３は整流子であり、これらにより電動機を構成している。１０４は回転子及び整流子１０３に固定された回転軸、１０５，１０６は回転軸１０４を回転自在に保持する軸受、１０７は整流子１０３と摺接するカーボンブラシ、１０８はカーボンブラシ１０７を整流子１０３に押圧させる付勢手段としてのバネ、１０９はカーボンブラシと電気的に接続されたピグテールである。
【００２０】
１１０は電動機を収納すると共に軸受１０５を保持するハウジング、１１１はカーボンブラシ１０７を保持してハウジング１１０に固定するブラシホルダー、１１２はハウジング１１０の開口側に設けられ、軸受１０６を保持するエンドブラケットである。１１３は遠心ファンであり、ナット１１４で回転軸に固定されている。１１５は遠心ファン１１３の外周側に配置されたディフューザ、１１６は遠心ファン１１３及びディフューザ１１５を外方から覆うように配置されたファンケーシングである。
【００２１】
ファンケーシング１１６の中央部には空気を吸込むための開口部１１６ａが形成されている。遠心ファン１１３はファンケーシング１１６の開口部１１６ａと連通する開口が形成されたシュラウド１１３ａと、回転軸に固定されるハブ１１３ｂと、シュラウド１１３ａとハブ１１３ｂとの間に配置されたブレード１１３ｃより構成されている。
【００２２】
ディフューザ１１５は、遠心ファン１１３の外周側に配置された複数のベーン１１５ａと、このベーン１１５ａの上方（ファンケーシング）側に設けられた環状支持体１１５ｂと、ベーン１１５ａの下方（エンドブラケット）側に設けられた仕切板１１５ｃと、この仕切板１１５ｃの下方（エンドブラケット）側に設けられたリターンベーン１１５ｄより構成されている。
【００２３】
電動機の回転子１０１が回転すると、回転軸１０４を介して取り付けられた遠心ファン１１３が回転し、ファンケーシング１１６の開口部１１６ａと連通する開口から空気が吸込まれ、遠心ファン１１３の外周側から空気が流出する。遠心ファン１１３から出た空気はベーン１１５ａに流入し、ベーン１１５ａの外周側から流出する。そして、流出した空気はファンケーシング１１６に衝突し、流れが方向転換されて電動送風機の内部側に向い、リターンベーン１１５ｄへ流入する。その後ハウジング１０１の開口からハウジング１０１内に入り、電動機を冷却してハウジング１０１の側面及び底面に形成された開口部から排出される。
【００２４】
上述したように、ベーン１１５ａの外周側から流出した空気はファンケーシング１１６に衝突し、流れが方向転換されてリターンベーン１１５ｄへ流入するため、流れ損出が発生し電動送風機の効率を低下させる要因となっていた。この方向転換をスムーズに行わせることが電動送風機の効率に大きく貢献する。
【００２５】
以下、方向転換をスムーズに行わせる構成について、図１〜図６を用いて説明する。
【００２６】
図１は本発明の一実施例に係るディフューザ１１５の分解斜視図、図２は本発明の一実施例に係るディフューザ１１５の正面斜視図、図３は本発明の一実施例に係るディフューザ１１５の背面斜視図、図４は本発明の一実施例に係るディフューザ１１５の側面図、図５は本発明の一実施例に係るディフューザ１１５の寸法関係を示す図、図６は本発明の一実施例に係るディフューザ１１５から環状支持体１１５ｂを取り除いた上面図である。
図１〜図５において、環状支持体１１５ｂは遠心ファン１１３が配置される中央部が大きく開口されたリング状の部材で構成され、一方の面（本実施例では下面）に湾曲した複数のベーン１１５ａが設けられ、ディフューザベーン体１２１を構成している。この複数のベーン１１５ａと環状支持体１１５ｂは射出成形等により一体成形される。成形にあたっては、上下割り金型に樹脂を射出し、樹脂が固まったところで金型を上下方向に分離させ、ディフューザベーン体１２１を取り出す。
【００２７】
また仕切板１１５ｃは中央部に遠心ファン１１３と連結するための回転軸１０４を通すための開口が形成され、一方の面（本実施例では下面）に湾曲した複数のリターンベーン１１５ｄが設けられ、リターンガイド１２２を構成している。この複数のリターンベーン１１５ｄと仕切板１１５ｃは射出成形等により一体成形される。成形にあたっては、上下割り金型に樹脂を射出し、樹脂が固まったところで金型を上下方向に分離させ、リターンガイド１２２を取り出す。
【００２８】
そして、成形されたディフューザベーン体１２１とリターンガイド１２２とは、ディフューザベーン体１２１の複数のベーン１１５ａと、リターンガイド１２２の仕切板１１５ｃとを突き合せて接触させ、ディフューザ１１５を構成している。ディフューザベーン体１２１とリターンガイド１２２とを突き合せるにあたっては、複数のベーン１１５ａと複数のリターンベーン１１５ｄとの位置関係が重要となる。本実施例のようにディフューザベーン体１２１とリターンガイド１２２とをそれぞれ独立して成形した後に組み合わせてディフューザ１１５とする場合、複数のベーン１１５ａと複数のリターンベーン１１５ｄとの位置のずれが懸念される。そこで本実施例ではディフューザベーン体１２１とリターンガイド１２２とのそれぞれに位置決め部を設けている。１２３はディフューザベーン体１２１の外周部に設けた複数（本実施例の場合は２箇所）の位置決め部aであり、環状支持体１１５ｂの外周を内周に向かって凹ませている。１２４はリターンガイド１２２に設けた位置決め部ｂであり仕切板１１５ｃを貫通するように形成されている。
【００２９】
ディフューザベーン体１２１とリターンガイド１２２との突き合せにあたっては、まず両者を重ねて組み合わせ装置（図示せず）の装着する。組み合わせ装置では、まずリターンガイド１２２に向かって棒状部材が出て位置決め部ｂ１２４に挿入され、リターンガイド１２２を図１の矢印の如く水平方向に回転させ、所定の位置で停止させる。これでリターンガイド１２２の位置決めが行われる。次に環状支持体１１５ｂの２箇所に設けた位置決め部aに爪状部材を引っ掛けて環状支持体１１５ｂを外周側から挟み込み、ディフューザベーン体１２１を水平方向に回転させ所定の位置で停止させる。これでディフューザベーン体１２１の位置決めが行われる。ディフューザベーン体１２１とリターンガイド１２２との位置決めが完了すると、図２に示すように複数のベーン１１５ａと仕切板１１５ｃとが超音波溶着や接着剤などにより接合され、ディフューザ１１５が構成される。接合した後、この接合部分に塗装を施すと、複数のベーン１１５ａと仕切板１１５ｃとの間に生じる僅かな隙間が埋まり、電動送風機の効率がより向上する。また、環状支持体１１５ｂの上面（ファンケーシング１１６）側には、ディフューザ１１５をファンケーシング１１６で覆ったとき、ファンケーシング１１６の内面と接触して気密を図るシール部材１２５が設けられている。
【００３０】
次に図５を用いてディフューザ１１５の寸法関係を説明する。図５において、Ｄ４Ｓはベーン１１５ａの環状支持体側（遠心ファン１１３のシュラウド側）の外周端外径（ベーン１１５ａ１）、Ｄ４ｈはベーン１１５ａの仕切板側の外周端外径（ベーン１１５ａ２）、Ｄ５はリターンベーン１１５ｄの外周端外径、Ｄ６はファンケーシング１１６の内径である。それぞれの寸法関係は、Ｄ５＜Ｄ４ｈ＜Ｄ４Ｓ＜Ｄ６となっている。この関係から分かるように、環状支持体１１５ｂ側のベーン１１５ａ１の外周端外径は、仕切板１１５ｃ側のベーン１１５ａ２の外周端外径より大きくしている。形状的に見ると、ベーン１１５ａの外周端は、仕切板１１５ｃ側のベーン１１５ａ２が前記環状支持体側のベーン１１５ａ１より空気の流れ的に見て上流側に位置しておりベーン１１５ａが環状支持体１１５ｂ側から仕切板１１５ｃ側に向かって傾斜している。
【００３１】
次に図６を用いて仕切板１１５ｃの構成を説明する。ベーン１１５ａと仕切板１１５ｃが接合された状態において、複数のベーン１１５ａ間には風路１３０が形成される。風路１３０のうち、空気の出口側となる仕切板１１５ｃの外周側部分に、略三角形の切欠部１３１を設けている。ベーン１１５ａ及び仕切板１１５ｃの外周側はファンケーシング１１６で覆われているが、仕切板１１５ｃの外周部分に切欠部１３１を設けているので、仕切板１１５ｃとファンケーシング１１６との間に大きな空間１３２が形成される。
【００３２】
以下、図１〜図６を用いて、方向転換がスムーズに行われる動作を説明する。上述したように本実施例では、環状支持体１１５ｂ側のベーン１１５ａ１の外周端外径は、仕切板１１５ｃ側のベーン１１５ａ２の外周端外径より大きくしている。ベーン１１５ａの出口（ディフューザ１１５外周側）における環状支持体１１５ｂ側のベーン１１５ａ１の部分と仕切板１１５ｃ側のベーン１１５ａ２の部分とで静圧を比較すると、環状支持体１１５ｂ側のベーン１１５ａ１付近の圧力が高く、仕切板１１５ｃ側のベーン１１５ａ２付近の圧力が低くなる。すなわち、ベーン１１５ａからリターンベーン１１５ｄへの曲がり流路において曲がりの外側(外周側)である環状支持体１１５ｂ側の圧力が高く、曲がりの内側（内周側）である仕切板１１５ｃ側の圧力が低くなる。このため、環状支持体１１５ｂ側から仕切板１１５ｃ側へ向けて圧力勾配が発生し、環状支持体１１５ｂ側から仕切板１１５ｃ側へ向けて流れが曲がることとなる。そして、ベーン１１５ａからリターンベーン１１５ｄへの曲がり流路において、方向転換がスムーズに行われ、圧力損失を低減し、電動送風機の効率向上が図れる。
【００３３】
さらに、本実施例では、仕切板１１５ｃの外周部分に切欠部１３１を設け、仕切板１１５ｃとファンケーシング１１６との間に大きな空間が形成しているので、ベーン１１５ａからリターンベーン１１５ｄへの曲がり流路において、方向転換がよりスムーズに行われ、圧力損失を低減し、電動送風機の効率を大幅に向上することができる。
【００３４】
一般的な電動送風機に用いられるディフューザは、仕切板の上下面にそれぞれベーンとリターンベーンとが一体成形される。成形にあたっては、仕切板を基準として金型を上下二分割構造とし、射出成形により金型に樹脂を流し込んだ後、樹脂が固まった時点で金型を上下方向に分離させ、ディフューザが構成される。本実施例のように環状支持体１１５ｂ側のベーン１１５ａ１の外周端外径を、仕切板１１５ｃ側のベーン１１５ａ２の外周端外径より大きくすると、仕切板１１５ｃの傾斜が構成されこの傾斜部分が金型の分離方向に対してアンダーカットとなる。
【００３５】
このため、従来のように金型を上下二分割構造では成形することができなくなる。そこで本実施例では、複数のベーン１１５ａと環状支持体１１５ｂとを射出成形等により一体成形すると共に、複数のリターンベーン１１５ｄと仕切板１１５ｃとを射出成形等により一体成形し、両者を接合するようにしているので、ディユーザの成形に際してアンダーカット領域が存在せず、簡単な構成で電動送風機の効率を向上させることのできるディフューザを提供できる。
【図面の簡単な説明】
【００３６】
【図１】本発明の一実施例に係るディフューザ１１５の分解斜視図である。
【図２】本発明の一実施例に係るディフューザ１１５の正面斜視図である。
【図３】本発明の一実施例に係るディフューザ１１５の背面斜視図である。
【図４】本発明の一実施例に係るディフューザ１１５の側面図である。
【図５】本発明の一実施例に係るディフューザ１１５の寸法関係を示す図である。
【図６】本発明の一実施例に係るディフューザ１１５から環状支持体１１５ｂを取り除いた上面図である。
【図７】本発明の一実施例に係る電気掃除機２００の概略図である。
【図８】本発明の一実施例に係る電動送風機の縦断面図である。
【符号の説明】
【００３７】
１１３…遠心ファン、１１５…ディフューザ、１１５ａ…ベーン、１１５ｂ…環状支持体、１１５ｃ…仕切板、１１５ｄ…リターンベーン、１１６…ファンケーシング、１２１…ディフューザベーン体、１２２…リターンガイド、１３１…切欠部、１３２…空間、２０３…電動送風機。
【図１】
0004596995.tif 000002
【図２】
0004596995.tif 000003
【図３】
0004596995.tif 000004
【図４】
0004596995.tif 000005
【図５】
0004596995.tif 000006
【図６】
0004596995.tif 000007
【図７】
0004596995.tif 000008
【図８】
0004596995.tif 000009